(57)【要約】【課題】パレット上に積み付けた貨物ユニットを、養生資材を使って組み立てた外装箱で覆って固縛する組立式ＵＬＤ装置において、貨物ユニットの盗難事故の発生を防止する。【解決手段】組立式ＵＬＤ装置Ｒは、外装箱Ａの角筒体Ｃを形成する側面ボード１５〜１８として、防刃性を有する硬質プラスチックを素材にした養生資材を使い、それら側面ボードを、一側半板２０ａと他側半板２０ｂの２体に折り曲げて板本体２０を台座プレートＢの外縁に沿って立てて、第１袖パネル２５同士および第２袖パネル３０同士を上下互い違いに向き合わせて起立配置し、互いの突当凸部２５ｂ・３０ｂを板本体の側端部の板厚方向外側に重ねて係合し、凹凸の嵌め合いにより上下左右の動きを拘束した防刃性を有する養生資材の側面ボードにより角筒体を組み立てて貨物ユニットＵの側方を囲い、角筒体の上方開口Ｓに桟組立体Ｆを組み付けて補強した外装箱Ａを組み立てる。【選択図】          図１
2016055900.tif 000002
【特許請求の範囲】
【請求項１】
小口貨物をユニット化してパレット上に積み付け、その貨物ユニットを、養生資材を使って分解可能に組み立てる外装箱で覆って固縛し、航空機の貨物室に搭載する組立式ＵＬＤ装置において、
前記パレットは、前記貨物室の床面に固定する矩形な台座プレートを備え、
前記外装箱は、防刃性を有する硬質プラスチックを素材とする前記養生資材であって、前記貨物ユニットの側方を囲う角筒体を組み立てる４セットの側面ボードと、前記角筒体に組み付ける２体の桟組立体と、前記貨物ユニットの上方に被せて蓋体を形成する天面ボードを備え、
前記側面ボードは、
外縁に沿って起立させる矩形な板本体と、該板本体の長さ方向両端にあって高さ方向一側の外壁面に、一部の取付板部を重ねて残りの突当凸部が前記板本体の側端縁から一定長さ突出した状態で固着した矩形な第１袖パネルおよび第２袖パネルと、それら袖パネルの前記取付板部が一方側縁に当接する位置で外壁面の高さ方向に固定した左右一対の補強板を備え、該補強板と平行に予め前記板本体に設けた折り目に従い一側半板と他側半板の２体に折り曲げて該板本体の下端縁を前記差込溝のコーナーに沿って差し込み、前記第１袖パネル同士および前記第２袖パネル同士を上下互い違いに向き合わせて起立配置し、互いの前記突当凸部を、前記板本体の側端部の板厚方向外側に重ねて係合し、凹凸の嵌め合いにより上下左右の動きを拘束して前記角筒体を組み立て、
前記桟組立体は、
前記角筒体を形成する隣接した前記折曲げ側面ボードの対向する一側半板と他側半板間に掛け渡す固定桟と、該固定桟に基端をヒンジを介して回動自在に連結した一対の可動桟とを備え、該可動桟の先端および前記固定桟の両端には、横木をＴ形に組み付けると共にアングル板の片側曲げ片を固着し、他側曲げ板片と前記横木間に所定空間の挟み込み部を形成し、前記固定桟は、前記一側半板と前記補強板の上端を前記挟み込み部に挟み込んで隣接した前記折曲げ側面ボードの対向する前記一側半板と他側半板間に横架してから、前記可動桟を前記ヒンジを中心に回動し、前記折曲げ側面ボードと前記補強板の上端を前記挟み込み部に挟み込んで前記固定桟と、前記折曲げ側面ボードの隣接する一側半板と他側半板間に懸架し、前記固定桟の横木および前記可動桟の横木は、それぞれが隣接する横木と端部同士を突き合わせ、その端部間を留金手段で締結してなる、組立式ＵＬＤ装置。
【請求項２】
前記天面ボードは、それぞれ前記角筒体の上方開口部と対応する大きさの蓋板部と、該蓋板部同士を連結する側を除く３方外縁に連設するフラップと、前記蓋板部の残りの外縁に一部の取付片部を重ねて残りの連結凸片を、前記蓋板部の外縁から一定長さ突出させて固着した連結プレートとを備え、該連結プレート同士を互い違いに向き合わせて配置し、互いの前記連結凸片を、前記蓋板部の側端部の板厚方向外側に重ねて係合し、凹凸の嵌め合いにより前後左右の動きを拘束して前記蓋体を組み立ててなることを特徴とする、請求項１に記載の組立式ＵＬＤ装置。
【請求項３】
前記外装箱は、前記側面ボードおよび前記天面ボードに開けた通し穴に面ファスナーの固定ベルトを挿通し、前記角筒体を形成する前記側面ボード同士と、前記側面ボードと前記天面ボードとを着脱可能に締結し、前記側面ボードと前記パレットの台座プレートとは、該台座プレートの四方外縁に有する掛止リングに前記面ファスナーの固定ベルトを通して着脱可能に連結してなることを特徴とする、請求項１又は２に記載の組立式ＵＬＤ装置。
【請求項４】
前記側面ボードは、前記補強板の両端において前記折り目寄り側縁に、前記アングル板の他側曲げ片を当てて前記桟組立体の固定桟および可動桟の位置ずれを規制するストッパを取り付けてなることを特徴とする、請求項１、２又は３に記載の組立式ＵＬＤ装置。
【請求項５】
前記パレットは、前記台座プレート上に載せる矩形枠状の下架台と貨物を上載する矩形枠状の上架台との間に複数の防振手段を脚部として立設し、該防振手段で両架台を上下に連結して前記上架台を弾性的に支持する防振架台を備え、前記防振手段は、非線形ばね特性を有する非線形圧縮コイルばねを備え、その圧縮コイルばねのばね定数を、所定の重量範囲において貨物の搭載重量が変位しても固有振動数が一定になるように設定してなることを特徴とする、請求項１、２、３又は４に記載の組立式ＵＬＤ装置。
【発明の詳細な説明】
【技術分野】
【０００１】
本発明は、小口貨物をユニット化して航空機の貨物室に搭載する用具、ＵＬＤ（Unite Load Device）の中でも、パレット上に貨物を積み付け、その貨物ユニットを、養生資材を使って組み立てる外装箱で覆って固縛する組立式ＵＬＤ装置に関する。
【背景技術】
【０００２】
従来、航空貨物の荷役方法には、大きく分けてバラ積み方式とＵＬＤ方式の２通りあるが、現在、国内を発着する航空機のほとんどがＵＬＤ方式により輸送されている。ＵＬＤ方式には、貨物室の床面に備え付けた緊締装置に固定できる箱形のコンテナを用具とするコンテナ式と、板状のパレットを用具とするパレット式とがある。
【０００３】
コンテナ式は、貨物の出入口が比較的小さいために搭載する貨物の大きさに制限を受け、航空コンテナが独立の輸送容器として税関手続の対象になるために輸送コストが高くなるなどの問題を抱えている。そこで、従来、ＵＬＤ方式により小口貨物をまとめて航空機の貨物室に搭載する場合は、ベースのパレット上に小口貨物を積み付けてから、ベニヤ板や段ボール等の養生資材で囲い、粘着テープを使って箱形に組み立てる外装箱で貨物ユニット全体を覆って保護するパレット式によることが多く、たとえ航空貨物がゲーム機やデジタル映像機器等の高価な貴重品であっても、外装箱でそれら小口貨物を覆い隠し、全体を潰さないようにラップ巻きを施し、更にビニールシートを被せてネット掛けしている。
【先行技術文献】
【特許文献】
【０００４】
【特許文献１】特開２０１０−６４７６２号
【特許文献２】特開２００１−３２２６２５号
【発明の概要】
【発明が解決しようとする課題】
【０００５】
ところが、例年、クリスマス商戦の時期になると、ゲーム機やデジタル映像機器等の高価な貴重品が空輸されている。ところが、従来のパレット式のＵＬＤ装置では、窃取目的で貨物を覆った段ボールやネット等の養生資材を、刃物を使って切ったり、外装箱を形成する段ボールやベニヤ板の養生プレートの継目をずらしたりする手口で貨物ユニット（ＵＬＤ）の中からカートンＢＯＸを簡単に抜き取られるなど、盗難事故が後を絶たないという課題があった。
【０００６】
そこで、本発明は、パレット上に積み付けた貨物ユニットを養生資材を使って組み立てた外装箱で覆い固縛する組立式ＵＬＤ装置において、貨物ユニットの盗難事故の発生を防止することにある。
【課題を解決するための手段】
【０００７】
そこで、上述した目的を達成するため、請求項１に記載の発明は、たとえば以下に示す図示実施の形態のとおり、小口貨物をユニット化してパレットＰ上に積み付け、その貨物ユニットＵを、養生資材を使って分解可能に組み立てる外装箱Ａで覆って固縛し、航空機の貨物室に搭載する組立式ＵＬＤ装置Ｒにおいて、前記パレットＰは、前記貨物室の床面に固定する矩形な台座プレートＢを備え、前記外装箱Ａは、防刃性を有する硬質プラスチックを素材とする前記養生資材であって、前記貨物ユニットＵの側方を囲う角筒体Ｃを組み立てる４セットの側面ボード１５〜１８と、前記角筒体Ｃに組み付ける２体の桟組立体Ｆと、前記貨物ユニットＵの上方に被せて蓋体を形成する天面ボード５０・５５を備え、前記側面ボード１５〜１８は、前記台座プレートＢの四方外縁に起立させる矩形な板本体２０と、該板本体２０の長さ方向両端にあって高さ方向一側の外壁面２１に、一部の取付板部２５ａ・３０ａを重ねて残りの突当凸部２５ｂ・３０ｂが前記板本体２０の側端縁２２から一定長さ突出した状態で固着した矩形な第１袖パネル２５および第２袖パネル３０と、それら袖パネル２５・３０の前記取付板部２５ａ・３０ａが一方側縁に当接する位置で外壁面２１の高さ方向に固定した左右一対の補強板３５・４０を備え、該補強板３５・４０と平行に予め前記板本体２０に設けた折り目１３に従い一側半板２０ａと他側半板２０ｂの２体に折り曲げて該板本体２０を前記台座プレートＢの外縁コーナーに沿って立てて、前記第１袖パネル２５同士および前記第２袖パネル３０同士を上下互い違いに向き合わせて起立配置し、互いの前記突当凸部２５ｂ・３０ｂを、前記板本体２０の側端部の板厚方向外側に重ねて係合し、凹凸の嵌め合いにより上下左右の動きを拘束して前記角筒体Ｃを組み立て、前記桟組立体Ｆは、前記角筒体Ｃを形成する隣接した前記折曲げ側面ボードの対向する一側半板２０ａと他側半板２０ｂ間に掛け渡す固定桟６０と、該固定桟６０に基端をヒンジｈを介して回動自在に連結した一対の可動桟６５とを備え、該可動桟６５の先端および前記固定桟６０の両端には、横木６２・６４をＴ形に組み付けると共にアングル板１９の片側曲げ片１９ａを固着し、他側曲げ板片１９ｂと前記横木６２・６４間に所定空間の挟み込み部３９を形成し、前記固定桟６０は、前記一側半板２０ａと前記補強板３５・４０の上端を前記挟み込み部３９に挟み込んで隣接した前記折曲げ側面ボードの対向する前記一側半板２０ａと他側半板２０ｂ間に横架してから、前記可動桟６５を前記ヒンジｈを中心に回動し、前記折曲げ側面ボードと前記補強板３５・４０の上端を前記挟み込み部３９に挟み込んで前記固定桟６０と、前記折曲げ側面ボードの隣接した一側半板２０ａと他側半板２０ｂ間に懸架し、前記固定桟６０の横木６４および前記可動桟６５の横木６２は、それぞれが隣接する横木６４、６２と端部同士を突き合わせ、その端部６４ａ・６２ａ間を、例えばパッチン錠のような留金手段Ｗで締結してなることを特徴とする。
【０００８】
請求項２に記載の発明は、請求項１に記載の組立式ＵＬＤ装置Ｒにおいて、たとえば以下に示す図示実施の形態のとおり、前記天面ボード５０・５５は、それぞれ前記角筒体Ｃの上方開口部Ｓと対応する大きさの蓋板部５１，５２と、該蓋板部５１，５２同士を連結する側を除く３方外縁に連設するフラップ５３，５４と、前記蓋板部５１、５２の残りの外縁に一部の取付片部５６ａ・５７ａを重ねて残りの連結凸片５６ｂ・５７ｂを、前記蓋板部５１、５２の外縁から一定長さ突出させて固着した連結プレート５６・５７とを備え、該連結プレート５６・５７同士を互い違いに向き合わせて配置し、互いの前記連結凸片５６ｂ・５７ｂを、前記蓋板部５１，５２の側端部の板厚方向外側に重ねて係合し、凹凸の嵌め合いにより前後左右の動きを拘束して前記蓋体を組み立ててなることを特徴とする。
【０００９】
請求項３に記載の発明は、請求項１又は２に記載の組立式ＵＬＤ装置Ｒにおいて、たとえば以下に示す図示実施の形態のとおり、前記外装箱Ａは、前記側面ボードおよび前記天面ボードに開けた通し穴５９に面ファスナーの固定ベルト１２を挿通し、前記角筒体Ｃを形成する前記側面ボード同士と、前記側面ボードと前記天面ボードとを着脱可能に締結し、前記側面ボード１５〜１８と前記パレットＰの台座プレートＢとは、該台座プレートＢの四方外縁に有する掛止リング１１に前記面ファスナーの固定ベルト１２を通して着脱可能に連結してなることを特徴とする。
【００１０】
請求項４に記載の発明は、請求項１、２又は３に記載の組立式ＵＬＤ装置Ｒにおいて、たとえば以下に示す図示実施の形態のとおり、前記側面ボード１５〜１８は、前記補強板３５・４０の両端において前記折り目１３寄り側縁に、前記アングル板１９の他側曲げ片１９ｂを当てて前記桟組立体Ｆの固定桟６０および可動桟６５の位置ずれを規制するストッパ７０を取り付けてなることを特徴とする。
【００１１】
請求項５に記載の発明は、請求項１、２、３又は４に記載の組立式ＵＬＤ装置Ｒにおいて、たとえば以下に示す図示実施の形態のとおり、前記パレット７０は、前記台座プレートＢ上に載せる矩形枠状の下架台７６と貨物を上載する矩形枠状の上架台７７との間に複数の防振手段Ｖを脚部として立設し、該防振手段でＶ両架台７６・７７を上下に連結して前記上架台７７を弾性的に支持する防振架台７５を備え、前記防振手段Ｖは、非線形ばね特性を有する非線形圧縮コイルばね７８を備え、その圧縮コイルばね７８のばね定数を、所定の重量範囲において貨物の搭載重量が変位しても固有振動数が一定になるように設定してなることを特徴とする。
【発明の効果】
【００１２】
請求項１に記載の発明の組立式ＵＬＤ装置によれば、貨物ユニットを覆って固縛した外装箱の角筒体を形成する側面ボードとして、防刃性を有する硬質プラスチックを素材にした養生資材を使い、それら側面ボードを、一側半板と他側半板の２体に折り曲げて板本体の下端縁を台座プレートの外縁に載せて、第１袖パネル同士および第２袖パネル同士を上下互い違いに向き合わせて起立配置し、互いの突当凸部を板本体の側端部の板厚方向外側に重ねて係合し、凹凸の嵌め合いにより上下左右の動きを拘束された防刃性を有する養生資材の側面ボードにより角筒体を組み立てて貨物ユニットの側方を囲う構成にするから、刃物で養生資材を切ったり段ボール等の養生ボードをずらしてゲーム機やデジタル映像機器等の高価な貴重品等が入ったカートンＢＯＸを抜き取るなどの手口による盗難事故の発生を防止することができる。
【００１３】
請求項１に記載の発明の組立式ＵＬＤ装置によれば、角筒体の上方開口に組み付ける２体の桟組立体は、それぞれ角筒体を形成する隣接した折曲げ側面ボードの対向する一側半板と他側半板間に掛け渡す固定桟と、固定桟に基端をヒンジを介して回動自在に連結した一対の可動桟とを備え、可動桟の先端および固定桟の両端には、横木をＴ形に組み付けると共にアングル板の片側曲げ片を固着し、他側曲げ板片と横木間に所定空間の挟み込み部を形成し、固定桟は、一側半板と補強板の上端を挟み込み部に挟み込んで隣接した折曲げ側面ボードの対向する一側半板と他側半板間に横架してから、可動桟をヒンジを中心に回動し、折曲げ側面ボードと補強板の上端を挟み込み部に挟み込んで固定桟と、折曲げ側面ボードの隣接した一側半板と他側半板間に懸架し、固定桟の横木および可動桟の横木は、それぞれ隣接する横木と端部同士を突き合わせ、その端部間を留金手段で締結し、角筒体の上方開口に組み付けた構成であるから、角筒体を内方から補強して組み付け強度が高められ、その結果、強度不足により角筒体に歪みを生じて内部の貨物ユニットが損傷する事故の発生を抑えることもできる。
【００１４】
請求項１に記載の発明の組立式ＵＬＤ装置によれば、航空コンテナのように独立の輸送容器ではなく、防刃性を有する硬質プラスチックを素材とし、ベニヤ板や段ボール等と同じ養生資材の範疇に入る資材を使って、組立強度や盗難防止の構造や効果は維持しつつ、貨物ユニットを覆って固縛する外装箱を分解可能に組み立てる構成であるため、航空コンテナのように独立の輸送容器として税関手続の対象になることがなく、しかも、分解して繰り返し再使用することができることから、ＵＬＤ方式により小口貨物をまとめて空輸する場合であっても、それだけ輸送コストを廉価に抑えることができる。
【００１５】
請求項２に記載の発明によれば、外装箱の蓋体を形成する天面ボードとして、防刃性を有する硬質プラスチックを素材にした養生資材を使い、連結プレート同士を互い違いに向き合わせて配置し、互いの連結凸片を、蓋板部の側端部の板厚方向外側に重ねて係合し、凹凸の嵌め合いにより前後左右の動きを拘束して蓋体を組み立てることから、凹凸の嵌め合いにより上下左右の動きを拘束した防刃性を有する養生資材の側面ボードと相俟って、刃物で養生資材を切ったり段ボール等の養生ボードをずらしてゲーム機やデジタル映像機器等の高価な貴重品等が入ったカートンＢＯＸを抜き取るなどの手口による盗難事故の発生を、より一層確実に防止することができる。
【００１６】
請求項３に記載の発明によれば、防刃性を有する硬質プラスチックを素材にした養生資材の側面ボードと天面ボードを使い、台座プレート上に外装箱を組み立てて貨物ユニットを覆う一方、これらボードに開けた通し穴に面ファスナーの固定ベルトを挿通し、そのベルト締め方式により着脱可能に外装箱を組み立てる構成とし、それだけ確実な締結作業に馴染む一方で、適宜に分解して比較的容易に繰り返し再利用することができる。
【００１７】
請求項４に記載の発明によれば、桟組立体の組み付け時、アングル板の他側曲げ片をストッパに当てて桟組立体の固定桟および可動桟の位置ずれを規制することにより、それだけ桟組立体の組み付け作業を精度よく確実に行うことができる。
【００１８】
請求項５に記載の発明によれば、防振架台ごと貨物ユニットの周りにネットを掛けて固くネット締め（固縛）するが、防振手段の圧縮コイルばねは所定の重量範囲において貨物ユニットの搭載荷重の大きさに拘わらず一定の固有振動数が得られる非線形ばね特性を有した非線形圧縮コイルばねであるから、ネット掛けによる締付力程度の荷重が加わっても、締付荷重の大きさに対応して有効巻数が減少し、コイル素線間ピッチが大きくばね定数がより少ない低重量帯のコイル部で撓むことにより、ばねを利かせてネット締めによる締付荷重を緩衝することができる。その結果、本発明によれば、ネット締めの締付力が防振架台に及んでばね性が利かなくなるようなことがなくなるために、防振架台ごと貨物ユニットに専用の固縛用箱をわざわざ被せてネット締めの締付力が防振手段に及ばないように保護する必要がなく、防振架台ごと貨物ユニットに直接ネットを掛けて台座プレートに固縛することができ、その結果、ネット締めのたびに必要であった固縛用箱が大量に不要になって輸送コストを著しく削減することができる。
【図面の簡単な説明】
【００１９】
【図１】本発明の一実施例である組立式ＵＬＤ装置を天面ボードを開けた状態で示す斜視図である。
【図２】側面ボードを示す展開図である。
【図３】折曲げ側面ボードを示す斜視図である。
【図４】外装箱を角筒体の組立段階において示す斜視図である。
【図５】桟組立体を２体束ねてする保管状態で示す平面図である。
【図６】桟組立体を組み立てて展開状態で示す斜視図である。
【図７】桟組立体を角筒体の上方開口に組付ける状態において示す斜視図である。
【図８】固定桟と横木とアングル板の固定構造を示す斜視図である。
【図９】桟組立体の角筒体の上方開口部における組付け構造を示す斜視図である。
【図１０】天面ボードを示す展開図である。
【図１１】面ファスナーの固定ベルトを使って側面ボードと（１）台座プレート（２）補強板（３）天面ボードとを連結する構造を示す斜視図である。
【図１２】最後にネット締めを終えた貨物ユニットを示す斜視図である。
【図１３】防振手段を備えたパレットを示す組立断面図である。
【発明を実施するための形態】
【００２０】
以下、図面を参照しつつ、本発明を実施するための形態について説明する。
【００２１】
図１は、本発明の一例である組立式ＵＬＤ装置Ｒを外装箱から天面ボードを外して示す分解斜視図、図２は、外装箱の側面を形成する側面ボードの展開平面図である。図示例の組立式ＵＬＤ装置Ｒは、小口貨物をユニット化してパレットＰ上に積み付け、その貨物ユニットＵを、養生資材を使って分解可能に組み立てる外装箱Ａで覆って固縛し、航空機の貨物室に搭載する荷役手段で、貨物室の床面に固定する矩形な台座プレートＢと、貨物ユニットＵの外装箱Ａとを備える。
【００２２】
台座プレートＢは、航空機の貨物室に合わせて定められた、所定サイズ、例えば９６インチの矩形な平パレットで、アルミニウム板とこれを縁取るアルミニウム枠材でつくり、通常は連結用金具を掛ける複数の掛止リング１１を立設すると共に、ネット締めに使うネットに備えた掛止用フックを掛ける多数の掛止め溝を切ってある。
【００２３】
パレットＰは、積み付け時、台座プレートＢの上で小口貨物をまとめて、その貨物ユニットＵを段ボールで覆って、更にラップを巻いてからビニールを被せて厚さ約1cmの養生資材で固縛する。
【００２４】
外装箱Ａは、防刃性を有する硬質プラスチックを素材とした養生資材であって、貨物ユニットＵの側方を囲う角筒体Ｃを組み立てる４セットの側面ボード１５〜１８と、角筒体Ｃを補強する２体の桟組立体Ｆ・Ｆと、貨物ユニットＵの上方に被せて蓋体を形成する一対の天面ボード５０・５５とを備える。
【００２５】
側面ボード１５〜１８は、４セットとも同一形状であるため、一方のみを図示して以下に説明する。側面ボード１５は、図２および図３に示すように、矩形な板本体２０と、板本体２０の長さ方向両端に固着するそれぞれ矩形な第１袖パネル２５および第２袖パネル３０と、板本体２０の外壁面２１の高さ方向に固定する左右に一対の補強板３５・４０を備える。
【００２６】
板本体２０は、防刃性を有する硬質プラスチック、図示例は厚さ9mmのプラパール（登録商標）を素材にした養生資材である。第１袖パネルおよび第２袖パネルも同じ厚さ9mmの防刃性を有する硬質プラスチックプラパールを素材にした養生資材である。補強板３５４０は、厚さ19mmの帯状の薫蒸処理板材で、両袖パネル２５・３０の取付板部２５ａ・３０ａが一方側縁に当接する位置で板本体２０の外壁面２０ａの高さ方向に固定する。図示例では、板本体２０に開けた通し穴５９に面ファスナー、例えばベルクロ（登録商標）の固定ベルト１２を通してビス留めする。
【００２７】
更に、一対の補強板３５・４０には、それぞれ両端に補強板３５・４０と平行に板本体２０に設けた折り目１３寄り側縁に、後記のアングル板１９の他側曲げ片１９ｂを当てて桟組立体Ｆの固定桟６０および可動桟６５の位置ずれを規制する樹脂製のストッパ７０をビス留めする。
【００２８】
そこで、側面ボード１５は、板本体２０の長さ方向両端にあって高さ方向一側の外壁面２１に、第１袖パネル２５および第２袖パネル３０を、それぞれ一部の取付板部２５ａ・３０ａを重ねて残りの突当凸部２５ｂ・３０ｂが板本体２０の側端縁２２から一定長さ突出した状態で固着する。そして、同じ４体の側面ボード１５〜１８を使って貨物ユニットＵを囲う外装箱Ａの角筒体Ｃを組み立てるとき、図３に示すように、板本体２０に設けた補強板３５と平行な折り目１３に従い一側半板２０ａと他側半板２０ｂの２体に折り曲げて折曲げ側面ボード１５´（１６´・１７´・１８´）を形成する。
【００２９】
桟組立体Ｆは、図５、図６および図７に示すように、角筒体Ｃを形成する隣接した折曲げ側面ボード１５´の向い合う一側半板２０ａ・２０ａ間に掛け渡す固定桟６０と、該固定桟６０に一端をヒンジｈを介して回動自在に連結した一対の可動桟６５とを備える。固定桟６０は、厚さ19mmの帯状の薫蒸処理板材で、角筒体Ｃの上方開口Ｓの開口幅に対応する長さのバー本体６１の両端に、同じく厚さ19mmの帯状の薫蒸処理板材の横木６２をＴ形に組み付けると共に、図７に示すように、アルミニウム製アングル板１９の片側曲げ片１９ａを固着し、他側の曲げ板片１９ｂと横木６２間に所定空間の挟み込み部２９を形成する。可動桟６５は、厚さ19mmの帯状の薫蒸処理板材で、側面ボード１５の補強板３５・４０と一側半板２０ａと他側半板２０ｂ間に対応する長さのバー本体６３の先端に、同じく厚さ19mmの帯状の薫蒸処理板材の横木６４をＴ形に組み付けると共に、アルミニウム製アングル板１９の片側曲げ片１９ａを固着し、他側の曲げ板片１９ｂと横木６４間に所定空間の挟み込み部３９を形成する。
【００３０】
桟組立体Ｆにおいて、固定桟６０の横木６２および可動桟６５の横木６４はそれぞれ隣接する横木６２、６４と互いに突き合わせる端部６２ａ・６４ａ間を留金手段Ｗで締結する。図示例では、留金手段Ｗとしてパッチン錠を使い、例えば一方の横木６４の端部６４ａに錠本体ｍを取り付け、他方の横木６４の端部には、錠本体ｍに回動自在に枢支した開閉レバー６６をトーションばねに抗し回動して引っ掛ける係止部を突設した受具ｎを取り付ける。こうした桟組立体Ｆは、図５に示すように、固定桟６０と可動桟６５を、両面が面ファスナーの固定バンド２６をバー本体６１・６３に巻き付けてビス留めし、持ち運びしやすく束ねておく。
【００３１】
天面ボード５０・５５には、図１および図１０に示すように、それぞれ角筒体Ｃの上方開口Ｓと対応する大きさの蓋板部５１、５２と、蓋板部５１、５２同士を連結する側を除く３方外縁に連設するフラップ５３、５４と、蓋板部の残りの外縁に一部の取付片部５６ａ・５７ａを重ねて残りの連結凸片５６ｂ・５７ｂを、蓋板部５１、５２の外縁から一定長さ突出させて固着した連結プレート５９を備える。天面ボード５０・５５は、使用しないとき、折れ目８０に従い２枚に折り畳んで保管したり運搬したりする。
【００３２】
さて、上述のような構成の組立式ＵＬＤ装置Ｒを用い、小口貨物をユニット化して航空機の貨物室に搭載する場合は、例えば台座プレートＢの上で小口貨物を一定単位の貨物ユニットＵにまとめて、その貨物ユニットＵを段ボールで覆って保護してから、全体にラップを巻いて固定し、更にビニールを被せるなど養生資材を用いて固縛する。
【００３３】
しかる後、本発明の組立式ＵＬＤ装置Ｒでは、図３および図４まず防刃性を有する硬質プラスチックを素材とする養生資材の側面ボード１５〜１８をそれぞれ板本体２０に有する折り目１３に従い一側半板２０ａと他側半板２０ｂの２片に折り曲げて板本体２０の下端縁を台座プレートＢのコーナーに沿って起立配置する。このとき、第１袖パネル２５同士および第２袖パネル３０同士を上下互い違いに向き合わせて起立配置し、互いの突当凸部２５ｂ・３０ｂを、板本体２０の側端部の板厚方向外側に重ねて係合し、凹凸の嵌め合いにより上下左右の動きを拘束した状態で貨物ユニットＵの側方を囲うように角筒体Ｃを組み立てる。
【００３４】
従って、組立式ＵＬＤ装置Ｒは、外装箱Ａの角筒体Ｃを形成する側面ボード１５〜１８として、防刃性を有する硬質プラスチックを素材にした養生資材を使い、それら側面ボード１５〜１８を、一側半板２０ａと他側半板２０ｂの２体に折り曲げて板本体２０の下端縁をートＢの差込溝１０に差し込んで、第１袖パネル２５同士および第２袖パネル３０同士を上下互い違いに向き合わせて起立配置し、互いの突当凸部２５ｂ・３０ｂを板本体２０の側端部の板厚方向外側に重ねて係合し、凹凸の嵌め合いにより上下左右の動きを拘束した防刃性を有する養生資材の側面ボード１５〜１８により角筒体Ｃを組み立てて貨物ユニットＵの側方を囲うことから、刃物で養生資材を切ったり段ボール等の養生ボードをずらしてゲーム機やデジタル映像機器等の高価な貴重品等が入ったカートンＢＯＸを抜き取るなどの手口による盗難事故の発生を防止することができる。
【００３５】
次いで、角筒体Ｃの上方開口部Ｓに桟組立体Ｆを組み付けて角筒体Ｃを補強する。その場合、桟組立体Ｆの２体は、図５に示すように、バー本体６１・６３に巻き付けてビス留めした両面が面ファスナーの固定バンド２６を解いて、図６に示すように桟組立体Ｆを一体ずつ展開し、図７および図８に示すように、順次、一体ずつ角筒体Ｃの上方開口Ｓに組み付ける。桟組立体Ｆの２体とも同じように組み付けるため、一体の組付けのみを図示して以下に説明する。
【００３６】
例えば固定桟６０を、角筒体Ｃの片側の平面視コ形部分を構成する折曲げ側面ボード１５´・１６´の対向する一側半板２０ａと他側半板２０ｂ間に掛け渡す。そのとき、固定桟６０は、両端の挟み込み部３９・３９にそれぞれ側面ボード１５・１６と補強板３５・４０の上端を挟み込んで隣接する折曲げ側面ボード１５´・１６´の対向する一側半板２０ａと他側半板２０ｂ間に横架する。
【００３７】
それから、桟組立体Ｆは、可動桟６５をヒンジｈを中心に回動し、図９に示すように、折曲げ側面ボード１５´・１６´の他側半板２０ｂと補強板３５・４０の上端を挟み込み部３９・３９に挟み込んで固定桟６０と折曲げ側面ボード１５´・１６´の隣接する一側半板２０ａ間に懸架し、固定桟６０の横木６２および可動桟６５の横木６４は、それぞれ隣接する横木６２、６４と端部６２ａ、６４ａ同士を突き合わせ、その間を留金手段Ｗで係脱自在に締結する。
【００３８】
図示例では、留金手段Ｗのパッチン錠を使い、例えば一方の横木６４の端部６４ａに取り付け、他方の横木６４の端部６４ａには、錠本体ｍに備える開閉レバー６６をトーションばねの付勢力に抗して回動し受具ｎ上の係止部に係合する。そのとき、開閉レバー６６には、トーションばねにより常に受具ｎの係止部に係合する付勢力が働き、２体の桟組立体Ｆ・Ｆ間にズレやガタがあっても留金手段Ｗで吸収して締結する。
【００３９】
従って、組立式ＵＬＤ装置Ｒでは、角筒体Ｃの上方開口部Ｓに組み付け２体の桟組立体Ｆ・Ｆは、それぞれ角筒体Ｃを形成する隣接した折曲げ側面ボードの対向する一側半板２０ａと他側半板２０ｂ間に掛け渡す固定桟６０と、固定桟６０に基端をヒンジｈを介して回動自在に連結した一対の可動桟６５とを備え、可動桟６５の先端および固定桟６０の両端には、横木６２、６４をＴ形に組み付けると共にアングル板１９の片側曲げ片１９ａを固着し、他側曲げ板片１９ｂと横木６２、６４間に所定空間の挟み込み部３９を形成し、固定桟６０は、一側半板２０ａと補強板３５、４０の上端を挟み込み部３９に挟み込んで隣接した折曲げ側面ボードの対向する一側半板２０ａと他側半板２０ｂ間に横架してから、可動桟６５をヒンジｈを中心に回動し、折曲げ側面ボードと補強板３５、４０の上端を挟み込み部３９に挟み込んで固定桟６０と、折曲げ側面ボードの隣接した一側半板２０ａと他側半板２０ｂ間に懸架し、固定桟６０の横木６４および可動桟６５の横木６２は、それぞれ隣接する横木６２、６４と端部同士６２ａ・６２ａ、６４ａ・６４ａを突き合わせ、その端部間を留金手段Ｗで締結し、角筒体Ｃの上方開口部Ｓに組み付けるから、角筒体Ｃを内方から補強して組付け強度が高められ、その結果、強度不足により角筒体Ｃに歪みを生じ、それが原因で内部の貨物ユニットＵが損傷する事故の発生を抑えることができる。
【００４０】
更に、組立式ＵＬＤ装置Ｒでは、台座プレートＢ上で角筒体Ｃに桟組立体Ｆ・Ｆを組み付けた後に、図１１（Ａ）に拡大して示すように、側面ボード１５〜１８と台座プレートＢとは、台座プレートＢの四方外縁に有する掛止リング１１に面ファスナーの固定ベルト１２を通して着脱可能に連結し、図１１（Ｂ）に拡大して示すように、角筒体Ｃを形成する隣接した側面ボード同士１５〜１８を着脱可能に締結する。
【００４１】
次に、組立式ＵＬＤ装置Ｒでは、図１および図１０に示すように、角筒体Ｃに蓋体の天面ボード５０・５５を被せる。図示例では、２枚に折り畳んだ連結プレート５６・５７を開いて、互い違いに向き合わせて配置し、互いの連結凸片５６ｂ・５７ｂを、蓋板部５１、５２の側端部の厚さ方向外側に重ねて係合し、凹凸の嵌め合いにより前後左右の動きを拘束して蓋体として組み立てる。そして、外装箱Ａは、側面ボード１５・１８および天面ボード５０に開けた通し穴５９に面ファスナーの固定ベルト１２を挿通し、角筒体Ｃを形成する側面ボード１５〜１８と天面ボード５０・５５とを着脱可能に締結する。
【００４２】
従って、組立式ＵＬＤ装置Ｒでは、外装箱Ａの蓋体を形成する天面ボード５０・５５として、防刃性を有する硬質プラスチックを素材にした養生資材を使い、連結プレート５６・５７同士を互い違いに向き合わせて配置し、互いの連結凸片５６ｂ・５７ｂを、蓋板部５１・５２の側端部の板厚方向外側に重ねて係合し、凹凸の嵌め合いにより前後左右の動きを拘束して蓋体を組み立てことから、凹凸の嵌め合いにより上下左右の動きを拘束した防刃性を有する養生資材の側面ボード１５〜１８と相俟って、刃物で養生資材を切ったり段ボール等の養生ボードをずらしてゲーム機やデジタル映像機器等の高価な貴重品等が入ったカートンＢＯＸを抜き取るなどの手口による盗難事故の発生を防止することができる。
【００４３】
こうして組立式ＵＬＤ装置Ｒでは、防刃性を有する硬質プラスチックを素材にした養生資材の側面ボード１５〜１８と天面ボード５０・５５を使い、台座プレートＢ上に外装箱Ａを組み立てて貨物ユニットＵを覆う一方、これらボードに開けた通し穴５９に面ファスナーの固定ベルト１２を挿通し、そのベルト締め方式により着脱可能に外装箱Ａを組み立てる構成とし、それだけ精度よく確実な締結作業に馴染む一方で、適宜に分解して比較的容易に繰り返し再利用することができる。
【００４４】
また、組立式ＵＬＤ装置Ｒでは、防刃性を有する硬質プラスチックが素材の養生資材の側面ボード１５〜１８と天面ボード５０・５５をも使って台座プレートＢ上に外装箱Ａを組み立て、貨物ユニットＵ全体を、ボードの凹凸の嵌め合いにより上下・左右・前後の動きを拘束した状態にして覆い隠して保護し、更にビニールシートを覆い被せてから、全体を潰さないようにラップ巻きを施して固縛し、最後に、図１２に示すように、ネットＮを掛けて養生する。ネット締めに使うネットＮに備えた前記掛止用フックを、台座プレートＢの外縁に沿って幾つも切ってある掛止め溝に掛けて全体に均等に加圧するようにネット締めを行う。
【００４５】
ところで、上述した図示実施の形態において、パレットＰは台座プレートＢ上に外装箱Ａを直接に載せて固縛する構成であったが、本発明の組立式ＵＬＤ装置は、以下に示すように、パレットＰを台座プレートＢ上に防振機能付き防振架台７５を備えた構成にすることもできる。
【００４６】
図示他例において、パレットＰは、台座プレートＢ上に載せる矩形枠状の下架台７６と貨物ユニットＵを上載する矩形枠状の上架台７７との間に複数の防振手段Ｖを脚部として立設し、防振手段Ｖで両架台７６・７７を上下に連結して上架台７７を弾性的に支持する防振架台７５を備え、防振手段Ｖは、非線形ばね特性を有する非線形圧縮コイルばね７８を備え、その圧縮コイルばね７８のばね定数を、所定の重量範囲において貨物ユニットＵの搭載重量が変位しても固有振動数が一定になるように設定する。
【００４７】
従って、図示他例の組立式ＵＬＤ装置では、防振架台７５ごと貨物ユニットＵの周りにネットＮを掛けて固くネット締め（固縛）するが、防振手段Ｖの圧縮コイルばね７８は所定の重量範囲において貨物ユニットＵの搭載荷重の大きさに拘わらず一定の固有振動数が得られる非線形ばね特性を有した非線形圧縮コイルばね７８であるから、ネット掛けによる締付力程度の荷重が加わっても、締付荷重の大きさに対応して有効巻数が減少し、コイル素線間ピッチが大きくばね定数がより少ない低重量帯のコイル部で撓むことにより、ばねを利かせてネット締めによる締付荷重を緩衝することができる。その結果、本発明によれば、ネット締めの締付力が防振架台７５に及んでばね性が利かなくなるようなことがなくなるために、防振架台７５ごと搭載貨物に専用の固縛用箱をわざわざ被せてネット締めの締付力が防振手段Ｖに及ばないように保護する必要がなく、防振架台７５ごと貨物ユニットＵに直接ネットを掛けて台座プレートＢに固縛することができ、その結果、ネット締めのたびに必要であった固縛用箱が大量に不要になって輸送コストを著しく削減することができる。
【符号の説明】
【００４８】
Ａ              外装箱
Ｂ              台座プレート
Ｃ              角筒体
Ｆ              桟組立体
Ｐ              パレット
Ｒ              組立式ＵＬＤ装置
Ｕ              貨物ユニット
Ｓ              角筒体の上方開口部
Ｗ              留金手段
１５〜１８      側面ボード
１５´〜１８´  折曲げ側面ボード
１９            アングル板
２０            板本体
２０ａ          一側半板
２０ｂ          他側半板
２５            第１袖パネル
３０            第２袖パネル
３５・４０      補強板
５０・５５      天面ボード
６０            固定桟
６５            可動桟
６２・６４      横木
７５            防振架台
７８            非線形圧縮コイルばね
【図１】
2016055900.tif 000003
【図２】
2016055900.tif 000004
【図３】
2016055900.tif 000005
【図４】
2016055900.tif 000006
【図５】
2016055900.tif 000007
【図６】
2016055900.tif 000008
【図７】
2016055900.tif 000009
【図８】
2016055900.tif 000010
【図９】
2016055900.tif 000011
【図１０】
2016055900.tif 000012
【図１１】
2016055900.tif 000013
【図１２】
2016055900.tif 000014
【図１３】
2016055900.tif 000015